(57)【要約】【課題】国際規格やＪＩＳ規格に規定される位置に形成された磁気ストライプと、国際規格やＪＩＳ規格に規定されていない位置に形成された磁気ストライプとを有するカードの磁気データの読取り精度の低下を抑制することが可能となるカードリーダ用のアタッチメントを提供する。【解決手段】カード２の短手方向の端面が当接する基準面６ａを有するカード通過溝６と、磁気ストライプ２ａ、２ｂに記録された磁気データを読取り可能な複数のチャンネルを有する磁気ヘッド８とを備え、カード２に記録された磁気データの読取りを行う手動式のカードリーダ１に使用されるカードリーダ用のアタッチメント５は、基準面６ａに当接可能な下端面５ｒと、カード２の下端面がアタッチメント５の下端面５ｒよりも上側に配置されるようにカード２を保持するカード保持部５ａとを備えている。【選択図】図１
2014137670.tif 000002
【特許請求の範囲】
【請求項１】
略長方形状に形成されるカードをその長手方向へ手動で移動させて、前記カードに記録された磁気データの読取りを行う手動式のカードリーダにおいて、
前記カードの短手方向の端面が当接する基準面と前記カードの厚さ方向における前記カードの両側を案内するガイド面とから構成されるカード通過溝と、前記カード通過溝に臨むように配置され前記カードに形成される磁気ストライプに当接する磁気ヘッドと、前記カードが着脱可能に取り付けられるアタッチメントとを備え、
前記磁気ヘッドは、前記カードの短手方向で並ぶように配置されるとともに前記磁気ストライプに記録された磁気データを読取り可能な複数のチャンネルを備え、
前記カードの短手方向における前記基準面の側を基準面側とし、前記カードの短手方向における前記基準面の反対側を反基準面側とすると、
前記アタッチメントは、前記基準面に当接可能な当接面と、前記カードの前記基準面側の端面が前記当接面よりも前記反基準面側に配置されるように前記カードを保持するカード保持部とを備えることを特徴とするカードリーダ。
【請求項２】
略長方形状に形成されるカードの短手方向の端面が当接する基準面と前記カードの厚さ方向における前記カードの両側を案内するガイド面とから構成されるカード通過溝と、前記カードの短手方向で並ぶように配置されるとともに前記カードに形成される磁気ストライプに記録された磁気データを読取り可能な複数のチャンネルを有し前記カード通過溝に臨むように配置される磁気ヘッドとを備え、前記カードをその長手方向へ手動で移動させて、前記カードに記録された磁気データの読取りを行う手動式のカードリーダに使用されるカードリーダ用のアタッチメントであって、
前記カードの短手方向における前記基準面の側を基準面側とし、前記カードの短手方向における前記基準面の反対側を反基準面側とすると、
前記基準面に当接可能な当接面と、前記カードの前記基準面側の端面が前記当接面よりも前記反基準面側に配置されるように前記カードを保持するカード保持部とを備えることを特徴とするカードリーダ用のアタッチメント。
【請求項３】
前記当接面を有し前記基準面側に配置されるとともに前記カードの厚さ方向における前記カードの一方の面を支持するカード支持部と、前記反基準面側に配置される前記カード保持部とを備え、
前記カード保持部には、前記カードの前記反基準面側が差し込まれて保持されるカード保持溝が形成されていることを特徴とする請求項２記載のカードリーダ用のアタッチメント。
【請求項４】
前記カード支持部には、前記カードの前記基準面側の端面が当接する第１カード当接面と、前記カードの長手方向の一方の端面が当接する第２カード当接面とが形成されていることを特徴とする請求項３記載のカードリーダ用のアタッチメント。
【請求項５】
前記カード支持部は、前記カードの長手方向から見たときに、スリット状に形成される前記カード保持溝に対して、前記基準面側に向かうにしたがって前記カード側へ傾斜する平板状に形成されていることを特徴とする請求項３または４記載のカードリーダ用のアタッチメント。
【請求項６】
前記カードの長手方向における前記カードの移動方向の側を移動方向側とすると、
前記カードは、前記カードの前記移動方向側の端面が前記カード支持部の前記移動方向側の端面よりも前記移動方向側へ突出するように前記カード保持部に保持され、
前記カード支持部の前記移動方向側の端面には、前記移動方向側に向かうにしたがって前記カード側へ傾斜する傾斜面が形成されていることを特徴とする請求項３から５のいずれかに記載のカードリーダ用のアタッチメント。
【発明の詳細な説明】
【技術分野】
【０００１】
本発明は、カードを手動で移動させて、カードに記録された磁気データの読取りを行う手動式のカードリーダに関する。また、本発明は、かかるカードリーダに使用されるカードリーダ用のアタッチメントに関する。
【背景技術】
【０００２】
従来、カードを手動で移動させながら、カードに記録された磁気データを読み取る手動式のカードリーダが広く利用されている。この種のカードリーダとして、略長方形状に形成されるカードの短手方向の幅よりも浅く形成された溝状のカード走行溝に沿ってカードを移動させながらカードに記録された磁気データを読み取るいわゆるスワイプ式のカードリーダが知られている（たとえば、特許文献１参照）。
【０００３】
特許文献１に記載のカードリーダは、カード走行溝に臨むように配置される磁気ヘッドを備えている。このカードリーダでは、カードの短手方向の一端面をカード走行溝の底面に当接させた状態でカードをその長手方向へ移動させることで、カードの磁気データが読み取られており、磁気ヘッドは、カードの短手方向の一端面がカード走行溝の底面に当接しているときにカードの磁気ストライプに当接可能な位置に配置されている。なお、カードに形成される磁気ストライプの位置は、国際規格やＪＩＳ規格によって規定されている。
【先行技術文献】
【特許文献】
【０００４】
【特許文献１】特開平１０−２２２６２８号公報
【発明の概要】
【発明が解決しようとする課題】
【０００５】
近年、国際規格やＪＩＳ規格に規定されていない位置に磁気ストライプが形成されたカードが市場に出回っている。たとえば、図２に示すように、ＪＩＳ規格に規定される位置に形成される磁気ストライプ２ａに加え、ＪＩＳ規格に規定されていない位置に形成される磁気ストライプ２ｂを備えるカード２が市場に出回っている。このカード２では、カード２の短手方向の一端面２ｃから磁気ストライプ２ａまでの距離と、カード２の短手方向の他端面２ｄから磁気ストライプ２ｂまでの距離とが等しくなっている。また、市場に出回っているカード２の中には、エンボス加工によってエンボス文字が形成されるものもある。このエンボス文字が形成されるエンボス加工領域２ｅは、たとえば、ＪＩＳ規格によって規定されている。
【０００６】
特許文献１に記載のカードリーダにおいて、カード走行溝の底面にカード２の短手方向の一端面２ｃを当接させた状態で、カード２を移動させれば、ＪＩＳ規格に規定される位置に形成された磁気ストライプ２ａに記録される磁気データを磁気ヘッドで適切に読み取ることが可能である。しかしながら、特許文献１に記載のカードリーダにおいて、カード走行溝の底面にカード２の短手方向の他端面２ｄを当接させた状態で、カード２を移動させると、エンボス文字が磁気ヘッドに接触して、ＪＩＳ規格に規定されていない位置に形成された磁気ストライプ２ｂに記録される磁気データの読取り精度が低下することが、本願発明者の検討によって明らかになった。
【０００７】
そこで、本発明の課題は、国際規格やＪＩＳ規格に規定される位置に形成された磁気ストライプと、国際規格やＪＩＳ規格に規定されていない位置に形成された磁気ストライプとを有するカードの磁気データの読取り精度の低下を抑制することが可能なカードリーダを提供することにある。また、本発明の課題は、国際規格やＪＩＳ規格に規定される位置に形成された磁気ストライプと、国際規格やＪＩＳ規格に規定されていない位置に形成された磁気ストライプとを有するカードの磁気データの読取り精度の低下を抑制することが可能となるカードリーダ用のアタッチメントを提供することにある。
【課題を解決するための手段】
【０００８】
上記の課題を解決するため、本発明のカードリーダは、略長方形状に形成されるカードをその長手方向へ手動で移動させて、カードに記録された磁気データの読取りを行う手動式のカードリーダにおいて、カードの短手方向の端面が当接する基準面とカードの厚さ方向におけるカードの両側を案内するガイド面とから構成されるカード通過溝と、カード通過溝に臨むように配置されカードに形成される磁気ストライプに当接する磁気ヘッドと、カードが着脱可能に取り付けられるアタッチメントとを備え、磁気ヘッドは、カードの短手方向で並ぶように配置されるとともに磁気ストライプに記録された磁気データを読取り可能な複数のチャンネルを備え、カードの短手方向における基準面の側を基準面側とし、カードの短手方向における基準面の反対側を反基準面側とすると、アタッチメントは、基準面に当接可能な当接面と、カードの基準面側の端面が当接面よりも反基準面側に配置されるようにカードを保持するカード保持部とを備えることを特徴とする。
【０００９】
本発明のカードリーダは、カードが着脱可能に取り付けられるアタッチメントを備えており、このアタッチメントは、基準面に当接可能な当接面と、カードの基準面側の端面が当接面よりも反基準面側に配置されるようにカードを保持するカード保持部とを備えている。そのため、本発明では、アタッチメントに取り付けられていない状態のカードをカード通過溝に沿って移動させることで、磁気ヘッドの複数のチャンネルのうちのいずれかのチャンネルを利用して、エンボス文字と磁気ヘッドとを接触させることなく、国際規格やＪＩＳ規格に規定される位置に形成された磁気ストライプに記録される磁気データ、または、国際規格やＪＩＳ規格に規定されていない位置に形成された磁気ストライプに記録される磁気データのいずれか一方を読み取ることが可能になるとともに、アタッチメントに取り付けられた状態のカードをカード通過溝に沿って移動させることで、磁気ヘッドの複数のチャンネルのうちの他のいずれかのチャンネルを利用して、エンボス文字と磁気ヘッドとを接触させることなく、国際規格やＪＩＳ規格に規定される位置に形成された磁気ストライプに記録される磁気データ、または、国際規格やＪＩＳ規格に規定されていない位置に形成された磁気ストライプに記録される磁気データのいずれか他方を読み取ることが可能になる。したがって、本発明では、国際規格やＪＩＳ規格に規定される位置に形成された磁気ストライプと、国際規格やＪＩＳ規格に規定されていない位置に形成された磁気ストライプとを有するカードの磁気データの読取り精度の低下を抑制することが可能になる。
【００１０】
また、上記の課題を解決するため、本発明のカードリーダ用のアタッチメントは、略長方形状に形成されるカードの短手方向の端面が当接する基準面とカードの厚さ方向におけるカードの両側を案内するガイド面とから構成されるカード通過溝と、カードの短手方向で並ぶように配置されるとともにカードに形成される磁気ストライプに記録された磁気データを読取り可能な複数のチャンネルを有しカード通過溝に臨むように配置される磁気ヘッドとを備え、カードをその長手方向へ手動で移動させて、カードに記録された磁気データの読取りを行う手動式のカードリーダに使用されるカードリーダ用のアタッチメントであって、カードの短手方向における基準面の側を基準面側とし、カードの短手方向における基準面の反対側を反基準面側とすると、基準面に当接可能な当接面と、カードの基準面側の端面が当接面よりも反基準面側に配置されるようにカードを保持するカード保持部とを備えることを特徴とする。
【００１１】
本発明のカードリーダ用のアタッチメントは、基準面に当接可能な当接面と、カードの基準面側の端面が当接面よりも反基準面側に配置されるようにカードを保持するカード保持部とを備えている。そのため、本発明では、アタッチメントに取り付けられていない状態のカードをカード通過溝に沿って移動させることで、磁気ヘッドの複数のチャンネルのうちのいずれかのチャンネルを利用して、エンボス文字と磁気ヘッドとを接触させることなく、国際規格やＪＩＳ規格に規定される位置に形成された磁気ストライプに記録される磁気データ、または、国際規格やＪＩＳ規格に規定されていない位置に形成された磁気ストライプに記録される磁気データのいずれか一方を読み取ることが可能になるとともに、アタッチメントに取り付けられた状態のカードをカード通過溝に沿って移動させることで、磁気ヘッドの複数のチャンネルのうちの他のいずれかのチャンネルを利用して、エンボス文字と磁気ヘッドとを接触させることなく、国際規格やＪＩＳ規格に規定される位置に形成された磁気ストライプに記録される磁気データ、または、国際規格やＪＩＳ規格に規定されていない位置に形成された磁気ストライプに記録される磁気データのいずれか他方を読み取ることが可能になる。したがって、本発明のカードリーダ用のアタッチメントを用いれば、国際規格やＪＩＳ規格に規定される位置に形成された磁気ストライプと、国際規格やＪＩＳ規格に規定されていない位置に形成された磁気ストライプとを有するカードの磁気データの読取り精度の低下を抑制することが可能になる。
【００１２】
本発明において、カードリーダ用のアタッチメントは、たとえば、当接面を有し基準面側に配置されるとともにカードの厚さ方向におけるカードの一方の面を支持するカード支持部と、反基準面側に配置されるカード保持部とを備え、カード保持部には、カードの反基準面側が差し込まれて保持されるカード保持溝が形成されている。
【００１３】
本発明において、カード支持部には、カードの基準面側の端面が当接する第１カード当接面と、カードの長手方向の一方の端面が当接する第２カード当接面とが形成されていることが好ましい。このように構成すると、第１カード当接面および第２カード当接面を利用して、アタッチメントに保持されるカードを位置決めすることが可能になる。
【００１４】
本発明において、カード支持部は、カードの長手方向から見たときに、スリット状に形成されるカード保持溝に対して、基準面側に向かうにしたがってカード側へ傾斜する平板状に形成されていることが好ましい。このように構成すると、アタッチメントに保持されるカードが変形していても、カード支持部によってカードの変形を矯正することが可能になるため、カードが変形していても、磁気データの読取り精度の低下を抑制することが可能になる。また、このように構成すると、カードに記録された磁気データを磁気ヘッドで読み取る際に、カード支持部によって磁気ヘッドに向かってカードを押し付けることが可能になるため、磁気ヘッドに対するカードの接触圧を高めることが可能になる。
【００１５】
本発明において、カードの長手方向におけるカードの移動方向の側を移動方向側とすると、カードは、カードの移動方向側の端面がカード支持部の移動方向側の端面よりも移動方向側へ突出するようにカード保持部に保持され、カード支持部の移動方向側の端面には、移動方向側に向かうにしたがってカード側へ傾斜する傾斜面が形成されていることが好ましい。このように構成すると、カード支持部の移動方向側の端面が磁気ヘッドの配置位置まで移動したときの、磁気ヘッドでのノイズの発生を低減することが可能になる。
【発明の効果】
【００１６】
以上のように、本発明のカードリーダでは、国際規格やＪＩＳ規格に規定される位置に形成された磁気ストライプと、国際規格やＪＩＳ規格に規定されていない位置に形成された磁気ストライプとを有するカードの磁気データの読取り精度の低下を抑制することが可能になる。また、本発明のカードリーダ用のアタッチメントを用いれば、国際規格やＪＩＳ規格に規定される位置に形成された磁気ストライプと、国際規格やＪＩＳ規格に規定されていない位置に形成された磁気ストライプとを有するカードの磁気データの読取り精度の低下を抑制することが可能となる。
【図面の簡単な説明】
【００１７】
【図１】本発明の実施の形態にかかるカードリーダの斜視図である。
【図２】図１に示すカードの平面図である。
【図３】図１に示すカードリーダで磁気データが読み取られる通帳の一部の平面図である。
【図４】図１に示す磁気ヘッドと、カードの磁気ストライプおよびエンボス加工領域との位置関係を説明するための図である。
【図５】図１に示すアタッチメントの斜視図である。
【図６】図１に示すアタッチメントの側面図である。
【図７】図１に示すアタッチメントにカードが取り付けられたときの、カードの磁気ストライプおよびエンボス加工領域と磁気ヘッドとの位置関係を説明するための図である。
【発明を実施するための形態】
【００１８】
以下、図面を参照しながら、本発明の実施の形態を説明する。
【００１９】
（カードリーダの全体構成）
図１は、本発明の実施の形態にかかるカードリーダ１の斜視図である。図２は、図１に示すカード２の平面図である。図３は、図１に示すカードリーダ１で磁気データが読み取られる通帳３の一部の平面図である。図４は、図１に示す磁気ヘッド８と、カード２の磁気ストライプ２ａ、２ｂおよびエンボス加工領域２ｅとの位置関係を説明するための図である。なお、以下の説明では、図１等に示すように、互いに直交する３方向をＸ方向、Ｙ方向およびＺ方向とする。また、図１等のＸ１方向側を「前」側、Ｘ２方向側を「後（後ろ）」側、Ｙ１方向側を「右」側、Ｙ２方向側を「左」側、Ｚ１方向側を「上」側、Ｚ２方向側を「下」側とする。
【００２０】
本形態のカードリーダ１は、ユーザが手動でカード２を操作して、カード２に記録された磁気データの読取りを行うための手動式のカードリーダであり、カードリーダ本体４と、カードリーダ本体４と別体で形成されカード２が着脱可能に取り付けられるアタッチメント５とを備えている。このカードリーダ１は、具体的には、カードリーダ本体４に形成されるカード通過溝６に沿ってカード２を移動させながら（カード通過溝６を通過させながら）カード２の磁気データを読み取るいわゆるスワイプ式のカードリーダである。カードリーダ１は、たとえば、銀行の窓口に設置されており、銀行員が手動で通帳３を操作することで、通帳３に記録された磁気データをカードリーダ１によって読み取ることも可能となっている。
【００２１】
カード２は、厚さが０．７〜０．８ｍｍ程度の塩化ビニール製のカードであり、略長方形状に形成されている。カード２には、図２に示すように、磁気データが記録される磁気ストライプ２ａ、２ｂが形成されている。磁気ストライプ２ａ、２ｂのそれぞれには、１トラック分の磁気データが記録されている。また、カード２には、図示を省略するエンボス文字がエンボス加工によって形成されている。このエンボス文字が形成される領域は、エンボス加工領域２ｅとなっている。
【００２２】
磁気ストライプ２ａ、２ｂは、略長方形状に形成されるカード２の長手方向に平行な細長い帯状に形成されている。磁気ストライプ２ａは、ＪＩＳ規格（具体的には、ＪＩＳＸ６３０２）に規定される位置に形成されている。すなわち、磁気ストライプ２ａは、カード２の短手方向の一端面２ｃを基準とする所定の位置に形成されている。一方、磁気ストライプ２ｂは、国際規格やＪＩＳ規格に規定されていない位置に形成されている。本形態では、カード２の短手方向の一端面２ｃから磁気ストライプ２ａまでの距離と、カード２の短手方向の他端面２ｄから磁気ストライプ２ｂまでの距離とが等しくなっている。また、カード２の短手方向において磁気ストライプ２ｂに近い位置がエンボス加工領域２ｅとなっている。
【００２３】
通帳３には、図３に示すように、磁気データが記録される磁気ストライプ３ａが形成されている。磁気ストライプ３ａには、２トラック分の磁気データが記録されている。磁気ストライプ３ａは、通帳３の一端面３ｂを基準とする所定の位置に形成されている。
【００２４】
カードリーダ本体４は、カード通過溝６が形成される本体フレーム７と、カード通過溝６を通過するカード２の磁気ストライプ２ａ、２ｂに当接して磁気データを読み取る磁気ヘッド８とを備えている。カード通過溝６は、その上端が開口するように形成されるとともに、本体フレーム７の前端から後端までの全域に亘って形成されており、底面６ａと左右の側面とによって構成されている。また、カード通過溝６は、左右方向の幅が狭いスリット状に形成されている。
【００２５】
本形態では、カード２の長手方向と前後方向とが一致し、カード２の短手方向と上下方向とが一致し、カード２の厚さ方向と左右方向とが一致するように、カード通過溝６に沿ってカード２を移動させる。すなわち、本形態では、前後方向はカード２の長手方向であり、上下方向はカード２の短手方向であり、左右方向は、カード２の厚さ方向である。より具体的には、前後方向はカード通過溝６を通過するカード２の長手方向であり、上下方向はカード通過溝６を通過するカード２の短手方向であり、左右方向は、カード通過溝６を通過するカード２の厚さ方向である。また、本形態では、カード２の磁気データを読み取る際に、カード通過溝６に沿って前側へカード２を移動させる。すなわち、本形態では、前側は、カード２の移動方向側である。上下方向におけるカード通過溝６の深さは、カード２の短手方向の幅よりも浅くなっており、カード通過溝６を通過するカード２の上端側は、本体フレーム７の外部に露出する。
【００２６】
磁気ヘッド８は、カード通過溝６に臨むように配置されている。すなわち、磁気ヘッド８は、その先端部分がカード通過溝６の内部に突出してカード２の磁気ストライプ２ａ、２ｂや通帳３の磁気ストライプ３ａに当接するように、本体フレーム７に取り付けられている。この磁気ヘッド８は、通帳３の磁気ストライプ３ａに記録される２トラック分の磁気データの読取りが可能となるように、第１チャンネル８ａと第２チャンネル８ｂとの２つのチャンネルを備えている。第１チャンネル８ａと第２チャンネル８ｂとは、上下方向で並ぶように配置されている。本形態では、第１チャンネル８ａが下側に配置され、第２チャンネル８ｂが上側に配置されている。
【００２７】
図４（Ａ）に示すように、カード２の一端面２ｃを底面６ａに当接させた状態で、カード通過溝６に沿ってカード２を通過させると、磁気ヘッド８の第１チャンネル８ａが磁気ストライプ２ａに当接する。このときには、エンボス加工領域２ｅに形成されるエンボス文字に磁気ヘッド８は接触しない。一方、上述のように、カード２の一端面２ｃから磁気ストライプ２ａまでの距離とカード２の他端面２ｄから磁気ストライプ２ｂまでの距離とが等しくなっているため、図４（Ｂ）に示すように、カード２の他端面２ｄを底面６ａに当接させた状態で、カード通過溝６に沿ってカード２を通過させると、第１チャンネル８ａが磁気ストライプ２ｂに当接する。このときには、エンボス加工領域２ｅに形成されるエンボス文字に磁気ヘッド８が接触する。
【００２８】
エンボス加工領域２ｅに形成されるエンボス文字に磁気ヘッド８が接触すると、磁気ストライプ２ｂに記録された磁気データを第１チャンネル８ａで読み取る際に、磁気ストライプ２ｂと第１チャンネル８ａとの間に隙間が生じて（すなわち、スペーシングロスが生じて）、磁気ストライプ２ｂに記録された磁気データを第１チャンネル８ａで読み取る際の磁気データの読取り精度が低下する。そこで、本形態では、磁気ストライプ２ｂに記録された磁気データを磁気ヘッド８で読み取る際に、エンボス文字が磁気ヘッド８に接触しないように、カード２をアタッチメント５に取り付けている。以下、アタッチメント５の構成について説明する。
【００２９】
なお、通帳３の一端面３ｂを底面６ａに当接させた状態で、カード通過溝６において通帳３を通過させると、磁気ヘッド８の第１チャンネル８ａおよび第２チャンネル８ｂのそれぞれが磁気ストライプ３ａの２つのトラックのそれぞれに当接する。
【００３０】
（アタッチメントの構成）
図５は、図１に示すアタッチメント５の斜視図である。図６は、図１に示すアタッチメント５の側面図である。図７は、図１に示すアタッチメント５にカード２が取り付けられたときの、カード２の磁気ストライプ２ｂおよびエンボス加工領域２ｅと磁気ヘッド８との位置関係を説明するための図である。
【００３１】
アタッチメント５は、樹脂で形成されている。具体的には、アタッチメント５は、金型を用いた樹脂成形によって形成されている。このアタッチメント５は、カード２の上端側を保持するカード保持部５ａと、カード２の右側の面を支持するカード支持部５ｂとを備えている。カード保持部５ａとカード支持部５ｂとは一体で形成されている。
【００３２】
カード保持部５ａは、全体として前後方向に長い略長方体状に形成されており、アタッチメント５の上端側部分を構成している。このカード保持部５ａは、アタッチメント５に取り付けられたカード２をカード通過溝６に沿って移動させる際にユーザが握るグリップとしての機能を果たしている。ユーザがカード保持部５ａを握りやすくなるように、左右方向におけるカード保持部５ａの下端側の幅は、左右方向におけるカード保持部５ａの上端側の幅よりも狭くなっている（図６参照）。カード保持部５ａの下端には、アタッチメント５に取り付けられたカード２をカード通過溝６に沿って移動させる際にユーザの指がカード通過溝６に挟まれないように、左右方向の両外側へ広がる鍔部５ｃが形成されている。なお、アタッチメント５は、上述のように、樹脂成形によって形成されており、カード保持部５ａには、樹脂成形時のひけを防止するための複数の肉抜き部が形成されている。
【００３３】
カード保持部５ａには、カード２の上端側が差し込まれて保持されるカード保持溝５ｄが形成されている。カード保持溝５ｄは、カード保持部５ａの下端から上側に向かって形成されるとともに、カード保持部５ａの前端から後ろ側に向かって形成されており、カード保持溝５ｄの下端および前端は開口している。また、カード保持溝５ｄは、左右方向の幅が狭いスリット状に形成されている。このカード保持溝５ｄは、左右方向におけるカード保持部５ａの中心位置に形成されている。
【００３４】
カード保持溝５ｄの左側面の前端には、前側に向かうにしたがって、左側へ広がるように傾斜する傾斜面５ｅが形成され、カード保持溝５ｄの上端面の前端には、前側に向かうにしたがって上側へ広がるように傾斜する傾斜面５ｆが形成されている。また、カード保持溝５ｄの左側面の上端側および下端側には、カード２の左側の面に当接する突起部５ｇ、５ｈが右側へ突出するように形成されている。
【００３５】
カード支持部５ｂは、前後方向に長い略長方形の平板状に形成されており、アタッチメント５の下端側部分を構成している。このカード支持部５ｂは、カード保持部５ａの下端に繋がるように形成されている。また、カード支持部５ｂは、左右方向におけるカード保持部５ａの略中心に繋がるように形成されている。具体的には、カード支持部５ｂは、カード保持溝５ｄの右側に形成されており、カード保持溝５ｄに保持されるカード２の右側の面に当接してカード２の右側の面を支持している。本形態では、カード支持部５ｂの右側面がカード保持溝５ｄの右側面に繋がるように、カード支持部５ｂが形成されている。
【００３６】
前後方向におけるカード支持部５ｂの幅は、前後方向におけるカード保持部５ａの幅と等しくなっている。また、カード支持部５ｂの前端とカード保持部５ａの前端とが一致し、カード支持部５ｂの後端とカード保持部５ａの後端とが一致している。図６に示すように、カード支持部５ｂは、前後方向から見たときに、下側に向かうにしたがって左側へ傾斜している。すなわち、カード支持部５ｂは、前後方向から見たときに、下側に向かうにしたがってカード保持溝５ｄに保持されるカード２側へ傾斜している。
【００３７】
カード支持部５ｂの左側面の下端側および後端側には、左側へわずかに突出する凸部５ｋが形成されている。凸部５ｋは、左側から見たときの形状が略Ｌ形状となるように形成されている。凸部５ｋの上面は、アタッチメント５に取り付けられるカード２の他端面２ｄが当接する第１カード当接面５ｍとなっている。凸部５ｋの前面は、アタッチメント５に取り付けられるカード２の長手方向の一方の端面が当接する第２カード当接面５ｎとなっている。また、カード支持部５ｂの右側面の前端には、前側に向かうにしたがって左側へ傾斜する傾斜面５ｐが形成されている。すなわち、カード支持部５ｂの右側面の前端には、前側に向かうにしたがってカード保持溝５ｄに保持されるカード２側へ傾斜する傾斜面５ｐが形成されている。
【００３８】
図１に示すように、カード２は、カード２の前端面がカード支持部５ｂの前端よりも前側へ突出するようにカード保持部５ａに保持されている。また、カード２は、カード２の他端面２ｄが第１カード当接面５ｍに当接し、カード２の後端面が第２カード当接面５ｎに当接するようにカード保持部５ａに保持されており、カード２は、他端面２ｄがカード支持部５ｂの下端面５ｒよりも上側に配置されるようにカード保持部５ａに保持されている。図７に示すように、カード支持部５ｂの下端面５ｒを底面６ａに当接させた状態で、アタッチメント５に取り付けられたカード２をカード通過溝６に沿って通過させると、磁気ヘッド８の第２チャンネル８ｂが磁気ストライプ２ｂに当接する。このときには、エンボス加工領域２ｅに形成されるエンボス文字に磁気ヘッド８は接触しない。
【００３９】
（カードリーダによる磁気データの読取り操作）
カード２の磁気ストライプ２ａに記録された磁気データを読み取る際には、ユーザは、本体フレーム７の外部に露出するカード２の上端側（具体的には、他端面２ｄ側）を掴んで、カード通過溝６をカード２が通過するように、カード２を前側へ移動させる。このとき、上下方向における磁気ヘッド８の第１チャンネル８ａの位置と磁気ストライプ２ａの位置とを合わせるため、ユーザは、カード通過溝６の底面６ａにカード２の一端面２ｃを押しつけながらカード２を移動させる。
【００４０】
また、カード２の磁気ストライプ２ｂに記録された磁気データを読み取る際には、ユーザは、まず、アタッチメント５にカード２を取り付ける。具体的には、ユーザは、カード２の他端面２ｄが第１カード当接面５ｍに当接し、カード２の後端面が第２カード当接面５ｎに当接するようにアタッチメント５にカード２を取り付ける。その後、ユーザは、アタッチメント５のカード保持部５ａを掴んで、カード通過溝６をカード２が通過するように、アタッチメント５とともにカード２を前側へ移動させる。このとき、上下方向における磁気ヘッド８の第２チャンネル８ｂの位置と磁気ストライプ２ｂの位置とを合わせるため、ユーザは、カード通過溝６の底面６ａにカード支持部５ｂの下端面５ｒを押しつけながらカード２を移動させる。
【００４１】
さらに、通帳３の磁気ストライプ３ａに記録された磁気データを読み取る際には、ユーザは、本体フレーム７の外部に露出する通帳３の上端側を掴んで、カード通過溝６を通帳３が通過するように、通帳３を前側へ移動させる。このとき、上下方向における磁気ヘッド８の第１チャンネル８ａおよび第２チャンネル８ｂのそれぞれの位置と、磁気ストライプ３ａに記録される２トラック分の磁気データの位置とを合わせるため、ユーザは、カード通過溝６の底面６ａに通帳３の一端面３ｂを押しつけながら通帳３を移動させる。
【００４２】
本形態では、カード通過溝６の底面６ａは、上下方向における磁気ヘッド８の位置と磁気ストライプ２ａとの位置を合わせるために、カード２の一端面２ｃが当接する基準面である。また、カード通過溝６の左右の側面は、カード２の厚さ方向におけるカード２の両側を案内するガイド面である。また、カード支持部５ｂの下端面５ｒは、基準面であるカード通過溝６の底面６ａに当接可能な当接面である。さらに、下側（Ｚ２方向側）は、カード２の短手方向における基準面（底面６ａ）の側となる基準面側であり、上側（Ｚ１方向側）は、カード２の短手方向における基準面（底面６ａ）の反対側となる反基準面側である。
【００４３】
（本形態の主な効果）
以上説明したように、本形態では、アタッチメント５は、カード２の他端面２ｄがカード支持部５ｂの下端面５ｒよりも上側に配置されるようにカード２を保持している。そのため、本形態では、上述のように、アタッチメント５に取り付けられていない状態のカード２をカード通過溝６に沿って移動させることで、磁気ヘッド８の第１チャンネル８ａを利用して、エンボス文字と磁気ヘッド８とを接触させることなく、磁気ストライプ２ａに記録された磁気データを読み取ることができ、かつ、アタッチメント５に取り付けられた状態のカード２をカード通過溝６に沿って移動させることで、磁気ヘッド８の第２チャンネル８ｂを利用して、エンボス文字と磁気ヘッド８とを接触させることなく、磁気ストライプ２ｂに記録された磁気データを読み取ることができる。したがって、本形態では、ＪＩＳ規格に規定される位置に形成された磁気ストライプ２ａと、国際規格やＪＩＳ規格に規定されていない位置に形成された磁気ストライプ２ｂとを有するカード２の磁気データの読取り精度の低下を抑制することが可能になる。
【００４４】
本形態では、カード支持部５ｂに、カード２の他端面２ｄが当接する第１カード当接面５ｍと、カード２の後端面が当接する第２カード当接面５ｎとが形成されている。そのため、本形態では、第１カード当接面５ｍと第２カード当接面５ｎとを利用して、アタッチメント５に保持されるカード２を位置決めすることができる。
【００４５】
本形態では、カード２の右側の面を支持するカード支持部５ｂは、前後方向から見たときに、下側に向かうにしたがって左側へ傾斜している。そのため、本形態では、アタッチメント５に保持されるカード２が変形していても、カード支持部５ｂによってカード２の変形を矯正することが可能になり、その結果、アタッチメント５に保持されるカード２が変形していても、磁気データの読取り精度の低下を抑制することが可能になる。また、本形態では、カード２に記録された磁気データを磁気ヘッド８で読み取る際に、カード支持部５ｂによって磁気ヘッド８に向かってカード２を押し付けることが可能になり、その結果、磁気ヘッド８に対するカード２の接触圧を高めることが可能になる。
【００４６】
本形態では、カード支持部５ｂの右側面の前端に、前側に向かうにしたがって左側へ傾斜する傾斜面５ｐが形成されている。そのため、本形態では、アタッチメント５に取り付けられたカード２の磁気データを読み取る際に、カード支持部５ｂの前端側が磁気ヘッド８の配置位置まで移動したときの、カード支持部５ｂの前端側に起因する磁気ヘッド８でのノイズの発生を低減することが可能になる。
【００４７】
（他の実施の形態）
上述した形態は、本発明の好適な形態の一例ではあるが、これに限定されるものではなく本発明の要旨を変更しない範囲において種々変形実施が可能である。
【００４８】
上述した形態では、磁気ヘッド８は、第１チャンネル８ａと第２チャンネル８ｂとの２つのチャンネルを備えている。この他にもたとえば、磁気ヘッド８は、上下方向で並ぶように配置される３つ以上のチャンネルを備えていても良い。たとえば、磁気ヘッド８は、第１チャンネル８ａおよび第２チャンネル８ｂに加え、第２チャンネル８ｂの上側に配置される第３チャンネルを備えていても良い。この場合には、アタッチメント５に取り付けられたカード２の磁気ストライプ２ｂがこの第３チャンネルに当接するように、アタッチメント５が構成されても良い。
【００４９】
上述した形態では、カード２は、カード２の前端面がカード支持部５ｂの前端よりも前側へ突出するようにカード保持部５ａに保持されている。この他にもたとえば、カード保持部５ａに保持されるカード２の前端面がカード支持部５ｂの前端と一致するように、アタッチメント５が形成されても良い。また、上述した形態では、カード支持部５ｂは、前後方向から見たときに、下側に向かうにしたがって左側へ傾斜しているが、カード支持部５ｂは、上下方向と略平行になるように形成されていても良い。
【００５０】
上述した形態では、カード２の一端面２ｃから磁気ストライプ２ａまでの距離と、カード２の他端面２ｄから磁気ストライプ２ｂまでの距離とが等しくなっている。この他にもたとえば、一端面２ｃから磁気ストライプ２ａまでの距離と、他端面２ｄから磁気ストライプ２ｂまでの距離とが異なっていても良い。また、上述した形態では、カード２は、厚さが０．７〜０．８ｍｍ程度の矩形状の塩化ビニール製のカードであるが、カード２は、厚さが０．１８〜０．３６ｍｍ程度のＰＥＴ（ポリエチレンテレフタレート）カードであっても良いし、所定の厚さの紙カード等であっても良い。
【符号の説明】
【００５１】
１  カードリーダ
２  カード
２ａ、２ｂ  磁気ストライプ
２ｃ  一端面（カードの短手方向の端面）
５  アタッチメント
５ａ  カード保持部
５ｂ  カード支持部
５ｄ  カード保持溝
５ｍ  第１カード当接面
５ｎ  第２カード当接面
５ｐ  傾斜面
５ｒ  下端面（当接面）
６  カード通過溝
６ａ  底面（基準面）
８  磁気ヘッド
８ａ  第１チャンネル（チャンネル）
８ｂ  第２チャンネル（チャンネル）
Ｘ  カードの長手方向
Ｘ１  カードの移動方向側
Ｙ  カードの厚さ方向
Ｚ  カードの短手方向
Ｚ１  反基準面側
Ｚ２  基準面側
【図１】
2014137670.tif 000003
【図２】
2014137670.tif 000004
【図３】
2014137670.tif 000005
【図４】
2014137670.tif 000006
【図５】
2014137670.tif 000007
【図６】
2014137670.tif 000008
【図７】
2014137670.tif 000009